(57)【特許請求の範囲】
【請求項１】
それぞれ出力チャンネル毎に出力のオンオフを制御するオンオフ制御部を有する複数のアンプ装置と通信し、該複数のアンプ装置を制御するアンプ制御装置であって、
ユーザの操作に従って、自身の動作モードを切り換えるモード切替手段と、
ユーザの出力チャンネル選択操作に従って選択された出力チャンネルをソロ出力チャンネルとして指定する指定手段と、
前記切替手段がソロモードへの切り替えを行った場合に、制御対象の全てのアンプ装置の全出力チャンネルの前記オンオフ制御部を出力オフに設定させ、以後前記指定手段により指定された出力チャンネルを有するアンプ装置に、その出力チャンネルの前記オンオフ制御部を出力オンに設定させ、制御対象の全てのアンプ装置に、前記指定された出力チャンネル以外の出力チャンネルの前記オンオフ制御部に出力オフを設定させる第１のソロ制御手段と、
前記切替手段が通常モードへの切り替えを行った場合に、制御対象の全てのアンプ装置に、前記全ての出力チャンネルの前記オンオフ制御部を出力オンに設定させる第２のソロ制御手段とを設けたことを特徴とするアンプ制御装置。
【請求項２】
コンピュータを、それぞれ出力チャンネル毎に出力のオンオフを制御するオンオフ制御部を有する複数のアンプ装置と通信し、該複数のアンプ装置を制御するアンプ制御装置として機能させるためのプログラムであって、
前記コンピュータを、
ユーザの操作に従って、自身の動作モードを切り換えるモード切替手段と、
ユーザの出力チャンネル選択操作に従って選択された出力チャンネルをソロ出力チャンネルとして指定する指定手段と、
前記切替手段がソロモードへの切り替えを行った場合に、制御対象の全てのアンプ装置の全出力チャンネルの前記オンオフ制御部を出力オフに設定させ、以後前記指定手段により指定された出力チャンネルを有するアンプ装置に、その出力チャンネルの前記オンオフ制御部を出力オンに設定させ、制御対象の全てのアンプ装置に、前記指定された出力チャンネル以外の出力チャンネルの前記オンオフ制御部に出力オフを設定させる第１のソロ制御手段と、
前記切替手段が通常モードへの切り替えを行った場合に、制御対象の全てのアンプ装置に、前記全ての出力チャンネルの前記オンオフ制御部を出力オンに設定させる第２のソロ制御手段として機能させるためのプログラム。
【請求項３】
それぞれ出力チャンネル毎に出力のオンオフを制御するオンオフ制御部を有する複数のアンプ装置と、該複数のアンプ装置と通信し、該複数のアンプ装置を制御するアンプ制御装置とを備えたアンプシステムであって、
前記アンプ制御装置に、
ユーザの操作に従って、自身の動作モードを切り換えるモード切替手段と、
ユーザの出力チャンネル選択操作に従って選択された出力チャンネルをソロ出力チャンネルとして指定する指定手段と、
前記切替手段がソロモードへの切り替えを行った場合に、制御対象の全てのアンプ装置の全出力チャンネルの前記オンオフ制御部を出力オフに設定させ、以後前記指定手段により指定された出力チャンネルを有するアンプ装置に、その出力チャンネルの前記オンオフ制御部を出力オンに設定させ、制御対象の全てのアンプ装置に、前記指定された出力チャンネル以外の出力チャンネルの前記オンオフ制御部に出力オフを設定させる第１のソロ制御手段と、
前記切替手段が通常モードへの切り替えを行った場合に、制御対象の全てのアンプ装置に、前記全ての出力チャンネルの前記オンオフ制御部を出力オンに設定させる第２のソロ制御手段とを設け、
前記各アンプ装置に、
前記アンプ制御装置からの指示に基づいて、前記オンオフ制御部における各出力チャンネルの出力オンオフを切り換える切換手段を設けたことを特徴とするアンプシステム。
【請求項４】
請求項３に記載のアンプシステムであって、
前記各アンプ装置が、自機に対する操作に従って前記オンオフ制御部における出力のオンオフを切り換える手段を有しないことを特徴とするアンプシステム。
【発明の詳細な説明】
【技術分野】
【０００１】
この発明は、それぞれ出力チャンネル毎に出力のオンオフを制御するオンオフ制御部を有する複数のアンプ装置と通信し、その複数のアンプ装置を制御するアンプ制御装置、コンピュータをこのようなアンプ制御装置として機能させるためのプログラム及び、このようなアンプ制御装置と制御対象のアンプ装置とを備えたアンプシステムに関する。
【背景技術】
【０００２】
従来から、ＰＣをアンプ制御装置として利用し、アンプ（アンプリファイア）とネットワークを介して接続して、そのＰＣから多数のアンプ装置を集中制御及び集中管理できるようにしたアンプ制御システムが知られている。
コンサート会場や劇場のように、多数のスピーカを用いる環境では、それに伴って、多数のアンプも用いることになるが、これをＰＣから集中制御することができると、アンプの場所まで行かなくても各アンプの動作を設定できるため、設定作業を効率的に行うことができる。
【０００３】
例えば、各アンプのミュートオンオフを、ＰＣを操作するだけで設定することができる。
このようなアンプ制御システムについては、例えば非特許文献１に記載されている。
【非特許文献１】「ＮｅｔｗｏｒｋＡｍｐＭａｎａｇｅｒ  取扱説明書」，ヤマハ株式会社，２００３年
【発明の開示】
【発明が解決しようとする課題】
【０００４】
ところで、コンサート会場や劇場でスピーカを使用する場合には、本番前に出力の点検を行うことが通常である。そしてこの場合、点検したいスピーカのみ出力をオンし、その他のスピーカの出力をオフすることが行われる。
しかし、従来のアンプ制御システムにおいては、この操作に適した機能は提供されていなかった。
【０００５】
ここで、例えば、上述のミュート機能を利用すれば、１つのスピーカ（に接続されたアンプ）のみを残して全てのスピーカをミュートオン（消音）することにより、１つのスピーカのみ出力をオンした状態を実現できる。
しかし、ミュート機能は、特定のスピーカの出力をオフするために用意された機能であるので、この機能を、特定のスピーカの出力のみオンするために用いる場合、操作が直感的に分かりづらくなってしまうという問題があった。
【０００６】
例えば、１つのスピーカの点検が完了し、次のスピーカの点検に移る場合、それまで出力オン（ミュートオフ）していたスピーカのミュートをオンに設定し、次に点検したスピーカのミュートをオフに設定する操作が必要になる。この操作は直感的に分かりづらいし、音を出力させるスピーカを選択する作業にも手間がかかる。
【０００７】
また、点検を終えた後、スピーカを本番の状態に移行させる場合も、どのスピーカをミュートさせたままにしておくかを意識しながらミュート解除の操作を行う必要があり、この点でも設定ミスが生じる危険がある。
この発明は、このような問題を解決し、アンプ制御装置から多数のアンプを集中制御する場合に、アンプに接続されたスピーカの出力点検を、容易に行えるようにすることを目的とする。
【課題を解決するための手段】
【０００８】
この発明は、上記の目的を達成するため、それぞれ出力チャンネル毎に出力のオンオフを制御するオンオフ制御部を有する複数のアンプ装置と通信し、その複数のアンプ装置を制御するアンプ制御装置において、ユーザの操作に従って、自身の動作モードを切り換えるモード切替手段と、ユーザの出力チャンネル選択操作に従って選択された出力チャンネルをソロ出力チャンネルとして指定する指定手段と、上記切替手段がソロモードへの切り替えを行った場合に、制御対象の全てのアンプ装置の全出力チャンネルの上記オンオフ制御部を出力オフに設定させ、以後上記指定手段により指定された出力チャンネルを有するアンプ装置に、その出力チャンネルの上記オンオフ制御部を出力オンに設定させ、制御対象の全てのアンプ装置に、上記指定された出力チャンネル以外の出力チャンネルの上記オンオフ制御部に出力オフを設定させる第１のソロ制御手段と、上記切替手段が通常モードへの切り替えを行った場合に、制御対象の全てのアンプ装置に、上記全ての出力チャンネルの上記オンオフ制御部を出力オンに設定させる第２のソロ制御手段とを設けたものである。
【０００９】
また、この発明のプログラムは、コンピュータを上記のアンプ制御装置として機能させるためのプログラムである。
また、この発明のアンプシステムは、上記のアンプ制御装置と、その制御対象となる複数のアンプ装置とを備えたシステムであって、その各アンプ装置に、上記アンプ制御装置からの指示に基づいて、上記オンオフ制御部における各出力チャンネルの出力オンオフを切り換える切換手段を設けたものである。
このようなアンプシステムにおいて、上記各アンプ装置に、自機に対する操作に従って前記オンオフ制御部における出力のオンオフを切り換える手段を設けないようにするとよい。
【発明の効果】
【００１０】
以上のようなこの発明のアンプ制御装置及びアンプシステムによれば、アンプ制御装置から多数のアンプを集中制御する場合に、アンプに接続されたスピーカの出力点検を、容易に行えるようにすることができる。
また、この発明のプログラムによれば、コンピュータを上記のようなアンプ制御装置として機能させ、同様な効果を得ることができる。
【発明を実施するための最良の形態】
【００１１】
以下、この発明を実施するための最良の形態を図面に基づいて具体的に説明する。
まず、図１に、この発明のアンプ制御装置の実施形態であるＰＣを含む、アンプシステムの構成を示す。
図１に示すように、このアンプシステムは、ＰＣ１０，アンプ２０ａ〜２０ｃ，ＳＰ（スピーカ）３０ａ〜３０ｆ，ミキサ４０，マイク５０ａ〜５０ｎを備えている。そして、これらのうちＰＣ１０とアンプ２０ａ〜２０ｃとミキサ４０は、イーサネット（登録商標）方式のネットワーク６０によって接続され、相互に通信可能である。
【００１２】
また、マイク５０ａ〜５０ｎと、ミキサ４０と、アンプ２０ａ〜２０ｃと、ＳＰ３０ａ〜３０ｆとは、図に破線で示すオーディオケーブルで接続され、図で上から下の向きにオーディオデータを伝送可能である。
そして、これらの各装置は、マイク５０ａ〜５０ｎで収音して得た音響信号をミキサ４０でミキシングし、その結果の出力音響信号をアンプ２０ａ〜２０ｃで増幅してＳＰ３０ａ〜３０ｆに供給し、その出力音響信号に基づく発音を行わせる音響信号処理システムを形成している。
【００１３】
一方、ＰＣ１０は、アンプ２０ａ〜２０ｃを制御するアンプ制御装置であり、アンプ２０ａ〜２０ｃとの間でネットワーク６０を介して各種コマンド等の制御データを送受信することにより、アンプ２０ａ〜２０ｃが音響信号の処理に使用するパラメータの値を編集したり、アンプ２０ａ〜２０ｃに各種の設定を行ったりすることができる。
【００１４】
またここでは、ＰＣ１０はミキサ４０を制御するミキサ制御装置としても機能し、ミキサ４０に対しても、パラメータの値の編集や、各種の設定を行うことができる。
そして、図１に示したアンプシステムのうち、ＰＣ１０及びアンプ２０ａ〜２０ｃの部分が、この実施形態の特徴に関連する部分である。他の装置については、公知のものを用いてシステムを構成することができる。
なお、以降の説明について、アンプ等を個体を特定せず指す場合には、「２０」等、アルファベットを付さない符号を用いる。
【００１５】
次に、図２に、図１に示したＰＣ１０のハードウェア構成を示す。
ＰＣ１０は、ハードウェアとしては公知のＰＣを用いて構成することができる。例えば、ＣＰＵ１０１，ＲＯＭ１０２，ＲＡＭ１０３，表示制御回路１０４，操作検出回路１０５，通信インタフェース（Ｉ／Ｆ）１０６，ＨＤＤ（ハードディスクドライブ）１０７を備え、これらがシステムバス１０８により接続された構成とすることができる。
【００１６】
そして、ＣＰＵ１０１に、ＲＯＭ１０２やＨＤＤ１０７に記憶されている適当なプログラムを実行させることにより、上述したアンプ制御装置及びミキサ制御装置としての機能を実現させることができる。
また、表示制御回路１０４は、ディスプレイ等の表示器１１１における表示を制御する回路であり、操作検出回路１０５は、キーボードやマウス等の操作子１１２における操作を検出する回路である。
【００１７】
ＰＣ１０は、これらの回路により、ユーザに情報を提示し、またユーザの操作を受け付けることができる。なお、表示器や操作子として、ＰＣ１０の外部のデバイスを利用するようにしてもよいことはもちろんである。
また、通信Ｉ／Ｆ１０６は、図１に示したネットワーク６０に接続してアンプ２０やミキサ４０を始めとする外部装置との間の通信を行うためのインタフェースである。
【００１８】
次に、図３に、アンプ２０の機能構成を示す。この図には、音響信号の取扱いに関する機能のみを示している。
図３に示すように、アンプ２０は、２つのチャンネル（ｃｈ）で音響信号を処理可能である。そして、入力する２系統の音響信号に対し、それぞれ前処理部２１，レベル制御部２２，ソロスイッチ２３，ミュートスイッチ２４により処理を行い、処理後の信号を、スピーカの駆動に適した高出力のアナログ音響信号として出力する。
【００１９】
このうち、前処理部２１は、入力する音響信号に対し、位相調整や減衰（アッテネート）等の処理を行う信号処理ユニットである。レベル制御部２２は、入力する音響信号のレベル調整を行う信号処理ユニットである。
ソロスイッチ２３及びミュートスイッチ２４は、どちらも信号出力のオンオフを切り換えるためのスイッチとして機能する信号処理ユニットであるが、その用途や制御方法は大きく異なる。ミュートスイッチ２４は、アンプ２０の通常使用時において音声の出力オンオフを切り換えるためのスイッチである一方、ソロスイッチ２３は、アンプ２０の点検時において、所望のスピーカについてのみ音声出力をオンさせるためのスイッチである。
【００２０】
また、アンプ２０において、以上の各部の動作は、制御部２５が、ＰＣ１０から受信する制御データに基づいて制御することができる。すなわち、制御部２５は、ＰＣ１０から受信した制御データに基づき、前処理部２１及びレベル制御部２２における処理パラメータの値を設定したり、ソロスイッチ２３及びミュートスイッチ２４のオンオフを切り替えたりする。
【００２１】
また、アンプ２０には、前処理部２１及びレベル制御部２２におけるパラメータの設定及びミュートスイッチ２４のオンオフを切り換えるためのボタンやスライダ等の操作子を設けている。そして、制御部２５は、この操作子２６の操作に応じても、処理パラメータの値の設定やスイッチの切り替えを行う。
【００２２】
しかし、アンプ２０には、ソロスイッチ２３の切り替えを行うための操作子は設けておらず、また、制御部２５も、アンプ２０に対する直接の操作に応じては、ソロスイッチ２３の切り替えは行わない。ここでは、ソロスイッチ２３の切り替えは、ＰＣ１０からその旨を指示する制御データを受信した場合（及びアンプ２０の立上げ時）にのみ行うようにしている。ただし、ソロスイッチ２３の切り替えを行うための操作子を設けることも、妨げられない。
【００２３】
次に、図４に、図１に示したアンプ２０のハードウェア構成を示す。
図４に示すように、アンプ２０は、ＣＰＵ２０１，ＲＯＭ２０２，ＲＡＭ２０３，表示制御回路２０４，操作検出回路２０５，通信Ｉ／Ｆ２０６，オーディオ入力Ｉ／Ｆ２０７，オーディオ出力Ｉ／Ｆ２０８，信号処理部２０９を備えこれらがシステムバス２１０により接続されている。また、オーディオ入力Ｉ／Ｆ２０７，オーディオ出力Ｉ／Ｆ２０８，信号処理部２０９は、オーディオ信号線２１１，２１２によっても接続されている。
【００２４】
そして、ＣＰＵ２０１が、ＲＯＭ２０２に記憶されている適当なプログラムを実行することにより、各Ｉ／Ｆ２０６〜２０８を介したデータ及び音響信号の送受信の制御、信号処理部２０９による信号処理の制御、表示制御回路２０４，操作検出回路２０５による表示器２１３及び操作子２６の制御等を行う。
【００２５】
通信Ｉ／Ｆ２０６は、図１に示したネットワーク６０に接続してＰＣ１０を始めとする外部装置との間の通信を行うためのインタフェースである。
オーディオ入力Ｉ／Ｆ２０７及びオーディオ出力Ｉ／Ｆ２０８は、それぞれケーブルを接続して音響信号の入出力を行うためのインタフェースである。なお、入力する音響信号は、デジタルのオーディオ波形データであっても、アナログ信号であってもよいが、出力する信号は、上述のように高出力のアナログ音響信号である。
【００２６】
また、オーディオ入力Ｉ／Ｆ２０７から入力した音響信号は、オーディオ信号線２１１を介して信号処理部２０９に供給され、信号処理部２０９での処理後、オーディオ信号線２１２を介してオーディオ出力Ｉ／Ｆ２０８に供給されて出力される。信号処理部２０９の機能は、図３に示した通りである。
【００２７】
次に、図５に、ＰＣ１０がアンプ２０の制御に使用するデータの構成を示す。
この図に示すアンプ制御用データは、ＰＣ１０のＲＡＭ１０３に記憶させて使用するデータであるが、ＨＤＤ１０７等の記憶手段に記憶させておき、ユーザの指示に従って読み出してＲＡＭ１０３に記憶させ、アンプ２０の制御に使用することも可能である。
そして、このアンプ制御用データには、ＰＣ１０がアンプ２０を制御する際の動作モードを規定するデータと、各アンプに関するデータであるアンプ設定データとが含まれる。
【００２８】
動作モードについては、通常動作用のモードあってソロスイッチ２３の機能を無効にする通常モードと、スピーカ３０の出力点検用のモードであってソロスイッチ２３の機能を有効にするソロモードとを用意している。
アンプ設定データには、ＰＣ１０からの制御の対象とする各アンプ２０について、そのアンプのＩＤ，機種，通信に用いるアドレス，信号処理ｃｈの数を示すｃｈ数，各ｃｈについての設定データ，その他のデータが含まれる。また、各ｃｈについての設定データとしては、図３に示したレベル制御部２２が使用する信号レベルの設定値、ソロスイッチ２３のオンオフを示すソロフラグ、ミュートスイッチ２４のオンオフを示すミュートフラグを含む。前処理部２１が使用するパラメータの値は、「その他」に含まれる。
【００２９】
以上のデータは、ＣＰＵ１０１がユーザの操作に応じて又は自動的に書き換え可能である。また、書き換えを行った場合、必要に応じて、アンプ２０に制御データを送信し、書き換え後のパラメータの値に沿った設定を行わせる。
なお、以上のデータのうち、この実施形態の特徴と深く関連するのは動作モード及びソロフラグであり、以下、この点を中心に説明する。
【００３０】
次に、図６に、ソロスイッチの動作に関する設定を受け付ける画面の例を示す。
図６に示すソロ設定画面３００は、ＰＣ１０の表示器１１１に表示させるＧＵＩ（グラフィカル・ユーザ・インタフェース）であり、ソロスイッチ２３の動作に関する設定を受け付けるための画面である。
このソロ設定画面３００には、通常モードボタン３０１，ソロモードボタン３０２，ｃｈリスト表示部３０３，ソロ設定部３０４を設けている。
【００３１】
このうち、通常モードボタン３０１及びソロモードボタン３０２は、上述の通常モード及びソロモードを択一的に選択するためのボタンである。図には、ソロモードが選択された状態を示している。
ｃｈリスト表示部３０３は、ＰＣ１０による制御対象の各アンプ２０につき、そのアンプが備える出力チャンネルを、アンプ毎に表示するリストである。なお、オーディオ出力Ｉ／Ｆ２０８に接続されているスピーカ３０の情報を表示するようにしてもよい。
【００３２】
ソロ設定部３０４は、ｃｈリスト表示部３０３に表示される各ｃｈにつき、ソロ出力オンオフの設定を受け付ける領域である。左側のボックスをクリックすることにより、対応するｃｈにつきソロ出力オンを指示できる。そして、ここでなされた設定は、図５に示した各ｃｈ設定データの「ソロ」の項目に登録される。そして、ｃｈ設定データの内容が変更されると、それに合わせてソロ設定画面３００の表示更新と、アンプ２０に対する動作内容の変更指示（制御データの送信）を行う。
【００３３】
なおここでは、ソロは同時に最大１つのｃｈについてのみオンできるようにしている。従って、いずれかのｃｈにつきソロ出力オンが指示された場合、それまでオンされていたｃｈについては、自動的にソロ出力オフが設定される。また、ある時点でソロ出力オンであるｃｈについてボックスがクリックされた場合、設定を反転してソロ出力オフを設定するようにしている。
【００３４】
また、ソロ設定部３０４の機能は、ソロモードでのみ有効であり、通常モードでは、ソロ設定部３０４の操作はできないようにする。また、通常モードでは、ソロフラグを参照せず、アンプ２０に全てのソロスイッチ２３をオンに設定させることにより、ソロ機能を実質無効化する。
【００３５】
以下、ソロスイッチ２３の動作制御に関してＰＣ１０のＣＰＵ１０１が実行する処理について説明する。
まず、図７に、モード選択操作があった場合の処理のフローチャートを示す。
ＰＣ１０のＣＰＵ１０１は、図６に示したソロ設定画面３００において、通常モードボタン３０１又はソロモードボタン３０２によりモード選択操作がなされると、図７のフローチャートに示す処理を開始する。
【００３６】
そして、選択されたモードがソロモードであった場合（Ｓ１１）、自機のモードをソロモードに設定して、ソロモードでの動作を開始する（Ｓ１２）と共に、全アンプの全ｃｈのソロフラグにオフを設定する（Ｓ１３）。これらの設定は、図５に示したアンプ制御用データに対して行う。
またその後、全アンプに全ｃｈのソロスイッチ２３をオフにするよう指示し（Ｓ１４）、処理を終了する。この指示は、ステップＳ１３の設定変更と対応するものである。また、ステップＳ１４の指示に応じて、各アンプ２０は、全ｃｈのソロスイッチ２３をオフに設定する。
【００３７】
一方、選択されたモードが通常モードであった場合（Ｓ１１）、自機のモードを通常モードに設定して、通常モードでの動作を開始する（Ｓ１５）。この設定も、図５に示したアンプ制御用データに対して行う。なお、通常モードではソロフラグの内容は参照しないため、これを特に変更する必要はない。
【００３８】
その後、全アンプに全ｃｈのソロスイッチ２３をオンにするよう指示し（Ｓ１６）、処理を終了する。また、ステップＳ１６の指示に応じて、各アンプ２０は、全ｃｈのソロスイッチ２３をオンに設定する。
以上の処理において、ＣＰＵ１０１は、モード切替手段（Ｓ１２，Ｓ１５）、第２の制御手段及び指定手段（Ｓ１３）、第１のソロ制御手段（Ｓ１４）、および第２のソロ制御手段（Ｓ１６）として機能する。
【００３９】
また、以上の処理により、モード選択操作に応じて、各アンプのソロスイッチ２３の状態を、各モード開始時に適した状態に設定することができる。すなわち、通常モードでは、ソロ機能は無効にするため、ソロスイッチ２３が出力に影響を与えないよう、通常モード開始時に全スイッチをオンにすることができる。また、ソロモード開始時には、次にユーザが選択したｃｈのみをオンできるよう、一旦全スイッチをオフにすることができる。
【００４０】
次に、図８に、図６に示したソロ設定部３０４の操作があった場合の処理のフローチャートを示す。
ＰＣ１０のＣＰＵ１０１は、図６に示したソロ設定画面３００において、ソロ設定部３０４のいずれかのボックスがクリックされると、図８のフローチャートに示す処理を開始する。
【００４１】
そして、自機がソロモードで動作中の場合（Ｓ２１）、操作されたｃｈ（対象ｃｈとする）のソロフラグを反転する（Ｓ２２）。ここで、その反転によりフラグをオフに変更した場合（Ｓ２３）、フラグの変更に合わせ、対象ｃｈを有するアンプ２０に対し、対象ｃｈのソロスイッチ２３をオフにするよう指示を行い（Ｓ２４）、処理を終了する。どのアンプに対して指示を行うかは、図５に示したアンプ制御用データに基づいて決定できる。また、ステップＳ２４の指示を受けたアンプ２０は、指示されたｃｈのソロスイッチ２３をオフに設定する。
これは、既にオンされていたｃｈのボックスがクリックされた場合であり、この場合、ステップＳ２４の処理により、全ソロスイッチオフの状態に移行する。
【００４２】
また、ステップＳ２３でソロオンへの変更であった場合、フラグの変更に合わせ、対象ｃｈを有するアンプ２０に対し、対象ｃｈのソロスイッチ２３をオンにするよう指示を行う。また、それまでオンであったソロスイッチをオフにすべく、対象ｃｈ以外の全ｃｈのソロフラグをオフに設定する（Ｓ２６）と共に、全アンプに対象ｃｈ以外の全ｃｈのソロスイッチ２３をオフにするよう指示を行い（Ｓ２７）、処理を終了する。また、ステップＳ２４及びＳ２７の指示に応じて、各アンプ２０は、各ｃｈのソロスイッチ２３を適当な状態に設定する。
また、ステップＳ２１でソロモードで動作中でない場合（通常モードで動作中の場合）には、ソロ設定部３０４の操作は無効であるため、何もせず処理を終了する。
【００４３】
以上の処理において、ＣＰＵ１０１は、指定手段（Ｓ２２，Ｓ２６）、第１のソロ制御手段（Ｓ２４，Ｓ２５，Ｓ２７）、および第１の制御手段（Ｓ２１）として機能する。また、ステップＳ２６，Ｓ２７においては、操作前にソロフラグがオンになっていたｃｈについてのみ、オフへの変更を行うようにしてもよい。
【００４４】
以上の処理により、ソロ設定部３０４の操作に応じて、各アンプのソロスイッチ２３の状態を、適切に設定することができる。また、選択したｃｈのみ出力オンに設定し、残りのｃｈを出力オフに設定する操作を、ワンクリックで行うことができるため、アンプに接続されたスピーカを１つずつ出力点検するための設定操作を、容易に行うことができる。多数のアンプ２０を集中制御する場合、ミュート機能によるオンオフ切り替えを利用しての出力点検は、操作の手間や誤操作の危険が大きいため、上述のソロ機能が特に有効である。
【００４５】
この場合において、ソロスイッチの切り替えは、通常モードで使用する他の部分の設定内容に一切影響を与えない。従って、ソロモードでは、通常モードの設定内容を完全に反映した状態で出力点検を行うことができる。また、ソロスイッチ２３以外についての設定内容は、図示しない画面からの指示により、通常モードであってもソロモードであっても同じように変更可能としており、ソロモードにおいて、レベル等のパラメータの値を変更してスピーカ３０からの出力音を聞きながら、出力点検を行うことも可能である。
【００４６】
また、通常モードにおいては、ソロスイッチ２３はオンに固定するようにしているため、点検終了後、通常モードに戻した後、ソロスイッチ２３を誤操作してしまうことを防止できる。そして、アンプ２０には、ソロスイッチ２３を操作するための操作子を設けないようにしておけば、誤操作によりソロスイッチ２３をオフにしてしまう事態を、より効果的に防止できる。出力点検は、通常は集中制御用のＰＣ１０から各アンプ２０を操作しつつ行うと考えられるため、このようにしても、特に不便は生じないと考えられる。
【００４７】
以上でこの実施形態の説明を終了するが、システムや装置の構成、画面の構成、データの構成、具体的な処理内容、操作方法等が上述の実施形態で説明したものに限られないことはもちろんである。
例えば、上述の実施形態では、ソロモードにおけるソロスイッチのオンは、同時に１つのｃｈでのみ許可するようにしたが、複数のｃｈについて同時にオンできるようにしてもよい。この場合、図８の処理において、ステップＳ２６及びＳ２７の処理を行わないようにすればよい。このようにすれば、複数のスピーカの出力を同時に点検することができる。
【００４８】
また、上述した実施形態においては、ネットワーク６０とオーディオケーブルとを別々に設ける例について説明したが、ネットワーク６０により接続されている機器の範囲では、ネットワーク６０を経由してオーディオ波形データを転送するようにしてもよい。図１の例の場合、ミキサ４０と各アンプ２０との間が、これに該当する。
また、上述した実施形態においては、アンプ２０において、入力と出力が１対１に対応している例について説明したが、必ずしもこれに限られることはない。例えば、１入力を分岐させて複数の端子から出力する場合であっても、その出力チャンネル毎にソロスイッチ２３を設け、そのオンオフをＰＣ１０から制御可能とすることにより、上述した実施形態の場合と同様な効果を得ることができる。複数入力を混合して１端子から出力する場合も同様である。
また、アンプ２０の１台当たりのｃｈ数が２に限られないことも、もちろんである。
【００４９】
また、この発明のプログラムは、コンピュータをアンプ制御装置として機能させて上述したような機能を実現させるためのプログラムであり、予めＲＯＭやＨＤＤ等に記憶させておくほか、ＣＤ−ＲＯＭあるいはフレキシブルディスク等の不揮発性記録媒体（メモリ）に記録して提供し、そのメモリからこのプログラムをＲＡＭに読み出させてＣＰＵに実行させたり、プログラムを記録した記録媒体を備える外部機器あるいはプログラムをＨＤＤ等の記憶手段に記憶した外部機器からダウンロードして実行させたりしても、同様の効果を得ることができる。
また、以上述べてきた構成及び変形例は、矛盾しない範囲で適宜組み合わせて適用することも可能である。
【産業上の利用可能性】
【００５０】
以上の説明から明らかなように、以上のようなこの発明のアンプ制御装置、プログラム又はアンプシステムによれば、アンプ制御装置から多数のアンプを集中制御する場合に、アンプに接続されたスピーカの出力点検を、容易に行えるようにすることができる。
従って、この発明を適用することにより、操作性のよいアンプシステムを提供することができる。
【図面の簡単な説明】
【００５１】
【図１】この発明のアンプ制御装置の実施形態であるＰＣを含む、アンプシステムの構成を示すブロック図である。
【図２】図１に示したＰＣのハードウェア構成を示す。
【図３】図１に示したアンプの機能構成を示す図である。
【図４】図１に示したアンプのハードウェア構成を示す図である。
【図５】図１に示したＰＣがアンプの制御に使用するデータの構成を示す図である。
【図６】ソロスイッチの動作に関する設定を受け付ける画面の例を示す図である。
【図７】モード選択操作があった場合の処理のフローチャートである。
【図８】図６に示したソロ設定部の操作があった場合の処理のフローチャートである。
【符号の説明】
【００５２】
１０…ＰＣ、２０…アンプ、２１…前処理部、２２…レベル制御部、２３…ソロスイッチ、２４…ミュートスイッチ、２５…制御部、２６…操作子、３０…ＳＰ、４０…ミキサ、５０…マイク、６０…ネットワーク、３００…ソロ設定画面、３０１…通常モードボタン、３０２…ソロモードボタン、３０３…ｃｈリスト表示部、３０４…ソロ設定部
【図１】
0005217526.tif 000002
【図２】
0005217526.tif 000003
【図３】
0005217526.tif 000004
【図４】
0005217526.tif 000005
【図５】
0005217526.tif 000006
【図６】
0005217526.tif 000007
【図７】
0005217526.tif 000008
【図８】
0005217526.tif 000009